(57)【特許請求の範囲】
【請求項１】
パーソナルコンピュータ用ＯＳを記憶する外部装置と接続可能な携帯電話機側インターフェイスと、
前記携帯電話機側インターフェイスを介して前記外部装置と接続された状態において、前記外部装置が記憶しているパーソナルコンピュータ用ＯＳに基づいてプログラムの実行を制御する制御手段と、
前記制御手段が、前記パーソナルコンピュータ用ＯＳに基づくプログラム実行の制御を開始したことを契機として、前記外部装置と携帯電話機との接続状態を物理的に保持するロック機構に対してロック状態開始信号を出力し、前記制御手段が、前記パーソナルコンピュータ用ＯＳに基づくプログラム実行の制御を終了したことを契機として、ロック状態を解除するロック状態解除信号を出力する切断禁止信号送信手段と
を備えたことを特徴とする携帯電話機。
【請求項２】
請求項１に記載の携帯電話機と接続可能な外部装置であって、
前記携帯電話機と接続可能な外部装置側インターフェイスと、
前記外部装置側インターフェイスを介して前記携帯電話機と接続された状態において、前記携帯電話機が備える切断禁止信号送信手段から受信した信号に応じて、前記携帯電話機との接続の切断を物理的に禁止又は許容するロック機構と
を備えたことを特徴とする外部装置。
【請求項３】
前記携帯電話機を載置するホルダー
を備え、
前記外部装置側インターフェイス及び前記ロック機構は、前記ホルダーに設けられていることを特徴とする請求項２に記載の外部装置。
【発明の詳細な説明】
【技術分野】
【０００１】
本発明は、携帯電話機及び携帯電話機と接続可能な外部装置に関する。
【背景技術】
【０００２】
従来、携帯電話機は、単に携帯可能な小型の電話機としての機能だけではなく、データの送受信機能や各種の演算、記憶機能を備えており、近年では、パーソナルコンピュータと遜色のないスペックを有するようになっている。このため、携帯電話機にパーソナルコンピュータの機能の一部（例えば、計算機やスケジュール管理といった機能）を代用して使用するケースが増加しつつある。
【０００３】
このような携帯電話機においては、ＣＰＵの処理速度やＤＲＡＭ等の半導体メモリから構成される物理的メモリの容量は、さらに高機能化の一途を辿っているが、高速のＣＰＵを搭載することや物理的メモリの容量を増やすことが、携帯性を阻害する要因とはなっていない。
【０００４】
一方、大容量のデータを記憶するハードディスクや複数の各種装置等、本来、携帯電話機としての機能にとって余り関係しない装置を携帯電話機自体に備えることは、大型化の問題を生じることになる。特に、携帯電話機をパーソナルコンピュータとして使用する場合、携帯電話機の表示画面を大型化することは、携帯電話機の携帯性の観点から限界があり、パーソナルコンピュータと同程度の画面を設けることはできない。また、操作性の観点から、パーソナルコンピュータと同程度のキーピッチを有するキーボードを別途携帯する必要が生じてくるが、現実的ではないといった問題があった。
【０００５】
従来、ディスプレイと、ヒンジ部の左右に開閉自在なキーボードとを備えたパソコン兼用携帯電話機が存在する（例えば、特許文献１参照）。特許文献１に記載のパソコン兼用携帯電話機によれば、キーボードを有するため、携帯電話機の入力キーから文字等を入力するのに比して高い操作性を得ることができる。
【０００６】
【特許文献１】特開２００５−５１５５０号公報
【発明の開示】
【発明が解決しようとする課題】
【０００７】
しかしながら、特許文献１に記載のパソコン兼用携帯電話機では、携帯電話機が備えるディスプレイを用いるため、充分な画面サイズを確保することができず、パーソナルコンピュータとしては、やはり使い勝手が悪いものとなるといった問題があった。また、特許文献１に記載のパソコン兼用携帯電話機が備えるキーボードは、通常のパーソナルコンピュータが備えるキーボードよりもキーピッチが狭いため、隣接するキーを誤打したり、共打ちしたりすることが多いといった問題があった。
【０００８】
このような問題に鑑みて鋭意検討した結果、本出願人は、内部電源又は外部電源で駆動する携帯電話機であって、前記携帯電話機に数字、文字及び記号等を入力可能なキーボードと前記携帯電話機から受信した映像信号に基づいた画像を表示する画像表示装置とを備えた外部装置に接続可能な携帯電話側接続端子と、内部電源と、前記携帯電話側接続端子に前記外部装置が接続されておらず、且つ、前記内部電源で駆動している場合には、パワーマネージメント機能を実行する実行手段とを備えた携帯電話機に想到した。この携帯電話機であれば、携帯電話側接続端子を介してキーボード及び画像表示装置を備えた外部装置と接続可能であるため、外部装置と接続して一体化することにより、パーソナルコンピュータとして遜色のない使用感を提供することができる。
【０００９】
しかしながら、この携帯電話機は、外部装置と接続してパーソナルコンピュータとして使用しているときに、電話の着信がある等した場合、使用者が外部装置から不用意に取り外してしまう可能性があり、作成していたデータや更新作業を行っていたデータが消えてしまうことがあるといった問題があった。
【００１０】
本発明は、上述した課題に鑑みてなされたものであり、その目的は、携帯電話機としての機能を維持しつつ、携帯電話機をパーソナルコンピュータとして使用することができるようにするとともに、携帯電話機をパーソナルコンピュータとして使用したときに発生し得る不具合を回避することにある。
【課題を解決するための手段】
【００１１】
以上のような目的を達成するために、本発明は、以下のようなものを提供する。
（１）  パーソナルコンピュータ用ＯＳを記憶する外部装置と接続可能な携帯電話機側インターフェイスと、
上記携帯電話機側インターフェイスを介して上記外部装置と接続された状態において、上記外部装置が記憶しているパーソナルコンピュータ用ＯＳに基づいてプログラムの実行を制御する制御手段と、
上記制御手段が、上記パーソナルコンピュータ用ＯＳに基づくプログラム実行の制御を開始したことを契機として、上記外部装置と携帯電話機との接続状態を物理的に保持するロック機構に対してロック状態開始信号を出力し、上記制御手段が、上記パーソナルコンピュータ用ＯＳに基づくプログラム実行の制御を終了したことを契機として、ロック状態を解除するロック状態解除信号を出力する切断禁止信号送信手段と
を備えたことを特徴とする携帯電話機。
【００１２】
（１）の発明によれば、携帯電話機側インターフェイスを介して外部装置と接続し、上記外部装置が記憶しているパーソナルコンピュータ用ＯＳに基づくプログラム実行の制御を開始したことを契機として、上記外部装置と携帯電話機との接続状態を物理的に保持するロック機構に対してロック状態開始信号を出力し、上記パーソナルコンピュータ用ＯＳに基づくプログラム実行の制御を終了したことを契機として、ロック状態を解除するロック状態解除信号を出力する。すなわち、上記外部装置が記憶しているパーソナルコンピュータ用ＯＳに基づいてプログラムの実行が制御されている間は、ロック機構により、上記外部装置との接続の切断が禁止されるため、使用者が不用意に取り外してしまうことを回避することができる。また、パーソナルコンピュータ用ＯＳに基づくプログラム実行の制御を終了したことを契機として、外部装置との接続の切断が許容されるため、使用者は、パーソナルコンピュータ用ＯＳに基づくプログラムの実行の制御が確実に終了したことを確認でき、作成していたデータ等が消えてしまうといった事態を引き起こすことなく、安心して携帯電話機を取り外すことができる。
【００１３】
さらに、本発明は、以下のようなものを提供する。
（２）  上記（１）に記載の携帯電話機と接続可能な外部装置であって、
上記携帯電話機と接続可能な外部装置側インターフェイスと、
上記外部装置側インターフェイスを介して上記携帯電話機と接続された状態において、上記携帯電話機が備える切断禁止信号送信手段から受信した信号に応じて、上記携帯電話機との接続の切断を物理的に禁止又は許容するロック機構と
を備えたことを特徴とする外部装置。
【００１４】
（２）の発明によれば、外部装置側インターフェイスを介して携帯電話機と接続された状態において、上記携帯電話機が備える切断禁止信号送信手段（例えば、ＵＰＵ）から受信した信号に応じて、上記携帯電話機との接続の切断を物理的に禁止又は許容するロック機構（例えば、磁力やモータ等により出没するロックシリンダ）を備えている。すなわち、パーソナルコンピュータ用ＯＳに基づいて、上記携帯電話機によりプログラムの実行が制御されている間は、ロック機構により、上記携帯電話機との接続の切断が物理的に禁止されるため、使用者が不用意に取り外してしまうことを回避することができる。また、パーソナルコンピュータ用ＯＳに基づくプログラム実行の制御を終了したことを契機として、携帯電話機との接続の切断が許容されるため、使用者は、パーソナルコンピュータ用ＯＳに基づくプログラム実行の制御が確実に終了したことを確認でき、作成していたデータ等が消えてしまうといった事態を引き起こすことなく、安心して携帯電話機を取り外すことができる。
【００１５】
さらに、本発明は、以下のようなものを提供する。
（３）  上記（２）に記載の外部装置であって、
上記携帯電話機を載置するホルダー
を備え、
上記外部装置側インターフェイス及び上記ロック機構は、上記ホルダーに設けられていることを特徴とする。
【００１６】
（３）の発明によれば、携帯電話機を載置するホルダーを備えており、外部装置側インターフェイス及びロック機構が、上記ホルダーに設けられているため、パーソナルコンピュータとして使用している最中に、携帯電話機を安定して保持することができるとともに、落したりして接続端子が外れてしまうといったことを防止することができる。
【発明の効果】
【００１７】
本発明によれば、携帯電話機としての機能を維持しつつ、携帯電話機をパーソナルコンピュータとして使用することができるようにするとともに、携帯電話機をパーソナルコンピュータとして使用したときに発生し得る不具合を回避することができるようになる。
【発明を実施するための最良の形態】
【００１８】
図１は、本実施形態に係る携帯電話機及び外部装置の一例を模式的に示す斜視図である。
携帯電話機１０は、一般的な携帯電話機としての機能（例えば、通話機能やメールの送受信機能）と、パーソナルコンピュータとしての機能（例えば、文書作成機能や表計算機能）とを有している携帯電話機である。
【００１９】
外部装置５０の本体部５０ａには、携帯電話機１０を載置可能なホルダー７０が設けられていて、ホルダー７０内には、携帯電話機１０と接続可能な接続端子６８（図５参照）が設けられている。ホルダー７０に携帯電話機１０を載置すると、携帯電話機１０が備える接続端子３４（図４参照）とホルダー７０内に設けられた接続端子６８とが接続される。これにより、携帯電話機１０に対して、外部装置５０が備えるマウス６２やキーボード６４から指示を入力したり、ディスプレイ６６に、携帯電話機１０の液晶パネル１４に表示されるべき画像等を表示させたりすることができる。
【００２０】
携帯電話機１０は、外部装置５０に接続され、パーソナルコンピュータとしてプログラムの実行を開始すると、ホルダー７０が備えるロックシリンダ７２を出現させて、携帯電話機１０をホルダー７０から取り出せないようにロック状態とする。そして、パーソナルコンピュータとしてのプログラムの実行を終了すると、ロック状態を解除し、携帯電話機１０をホルダー７０から取り出せるようにする。
このように、携帯電話機１０によれば、携帯電話機１０と外部装置５０とが接続され、パーソナルコンピュータとして機能している間には、接続の切断を物理的に禁止することができる。
【００２１】
図２、図３は、図１に示した外部装置が備えるホルダーを示す図である。
図２（ａ）は、ホルダーの上面図、（ｂ）は、正面図、（ｃ）は、左側面図である。
図２（ａ）に示すように、ホルダー７０には、載置部７３（図中右側）とロック機構７４（図中左側）とが設けられている。ロック機構７４は、歯付ラック７６、歯付ラック７６の上を摺動可能なモータボックス７８、及び、モータボックス７８の上面に設けられたロックシリンダ７２から構成されている。
【００２２】
図２（ｂ）、（ｃ）に示すように、モータボックス７８の内部には、モータ７８ａが設けられていて、ネジ等で固定されている。モータ７８ａは、歯付ホイール７８ｂを備えていて、歯付ラック７６が備える歯付レール７６ａに噛合している。モータボックス７８の下側（下面）には、レール７８ｃが設けられていて、歯付ラック７６に形成されている溝７６ｂに沿って摺動可能に係合している。また、モータボックス７８の上面にはロックシリンダ７２が設けられている。従って、モータ７８ａが駆動すると、歯付ホイール７８ｂが回転し、モータボックス７８が溝７６ｂに案内されてスライドする。その結果、ロックシリンダ７２が載置部７３に突き出されることになる（図３参照）。
【００２３】
図４は、図１に示した携帯電話機の内部構成を示すブロック図である。
携帯電話機１０は、操作部１２、液晶パネル１４、ＣＣＤカメラ１６、無線部１８、音声回路２０、スピーカ２２、マイク２４、送受信アンテナ２６、不揮発性メモリ２８、マイクロコンピュータ３０、二次電池３２、接続端子３４及び着信報知用スピーカ３６を備えている。
【００２４】
無線部１８は、マイクロコンピュータ３０により制御されて、送受信アンテナ２６を通じて電波を媒体として基地局に対して送受信する。音声回路２０は、無線部１８からマイクロコンピュータ３０を通じて出力された受信信号をスピーカ２２に出力するとともに、マイク２４から出力された音声信号を送信信号としてマイクロコンピュータ３０を通じて無線部１８に出力する。
【００２５】
スピーカ２２は、音声回路２０から出力された受信信号を受信音声に変換して出力し、マイク２４は、操作者から発せられた送信音声を音声信号に変換して音声回路２０に出力する。
ＣＣＤカメラ２６は、レンズを介して被写体を撮像可能であり、撮像して得られた画像データは不揮発性メモリ２８に記憶される。
【００２６】
接続端子３４は、外部装置５０と接続するための端子であり、本発明における携帯電話機側インターフェイスに相当するものである。携帯電話機側インターフェイスとしては、例えば、ＵＳＢ（Ｕｎｉｖｅｒｓａｌ  Ｓｅｒｉａｌ  Ｂｕｓ）ポートやＲＳ−２３２Ｃポートが挙げられるが、本発明においては、外部装置と接続可能であれば、特に限定されるものではない。
本実施形態においては、携帯電話機１０と外部装置５０との接続が有線による接続である場合について説明するが、本発明は、これに限定されず、例えば、赤外線通信による接続等、無線による接続であってもよい。
【００２７】
着信報知用スピーカ３６は、着信があった場合に、音により着信を報知するためのものである。
【００２８】
不揮発性メモリ２８は、例えば、操作部１２を介して入力された文字等のデータ、ＣＣＤカメラ１６により撮像して得られた画像データ、送受信アンテナ２６を介して受信したメール等のデータ、接続端子３４を介して外部装置５０から受信した各種データや各種プログラムを不揮発的に記憶する。
【００２９】
また、不揮発メモリ２８には、携帯電話機用ＯＳ（Ｏｐｅｒａｔｉｎｇ  Ｓｙｓｔｅｍ）（以下、「携帯用ＯＳ」ともいう）や各種プログラム（アプリケーションソフト）が記憶されている。不揮発メモリ２８は、携帯電話機用ＯＳを記憶する内部記憶手段として機能するものである。各種プログラムとしては、通話に係るプログラムやメールの送受信に係るプログラム等、携帯電話機としての機能に係るプログラムや、文書の作成に係るプログラムや表計算に係るプログラム等、パーソナルコンピュータとしての機能に係るプログラムが挙げられる。携帯用ＯＳ上では、多数の処理が並行して実行される場合、携帯電話機としての機能に係る処理が優先して実行される。これにより、携帯電話機として安定した機能実行が確保されることになる。
【００３０】
また、不揮発メモリ２８には、パワーマネージメント機能に係るプログラムが記憶されている。マイクロコンピュータ３０は、接続端子３４を介して外部装置５０が接続されておらず、且つ、携帯電話機１０が二次電池３２で駆動している（ＡＣアダプタ３６が接続されている）と判断した場合には、パワーマネージメント機能に係るプログラムを読み出して実行する。さらに、マイクロコンピュータ３０は、ＡＣアダプタ３６が接続されていると判断した場合には、このプログラムの実行を不能化する。
【００３１】
また、不揮発メモリ２８には、外部装置５０に接続されている際に着信があった場合には、実行中のＰＣ用ＯＳの動作環境を記憶する領域が設けられている。
【００３２】
液晶パネル１４は、例えば、操作部１２を介して入力された文字、ＣＣＤカメラ１６により撮像して得られた画像、送受信アンテナ２６を介して受信したメール文面や画像、接続端子３４を介して外部装置５０から受信した各種データに基づく文字や画像等を表示する。また、着信があった場合には、所定の画像又は動画を表示して着信を報知する。
【００３３】
二次電池３２は、各回路に電力を供給するとともに、ＡＣアダプタ３６が接続された場合には、ＡＣアダプタ３６から供給される電力により充電される。
ＡＣアダプタ３６は、携帯電話機１０に接続されることにより、二次電池３２を充電するとともに、外部（例えば、家庭用コンセント）から供給される外部電源を各回路に供給する。
【００３４】
マイクロコンピュータ３０は、ＣＰＵ、ＲＯＭ及びＲＡＭから構成されたもので、上記の携帯用ＯＳ上で各種プログラムを実行することにより、携帯電話機としての機能に係る処理やパーソナルコンピュータとしての機能に係る処理を行う。
【００３５】
また、マイクロコンピュータ３０は、接続端子３４に外部装置５０が接続されると、再起動してＯＳを携帯用ＯＳからパーソナルコンピュータ用ＯＳ（以下、「ＰＣ用ＯＳ」ともいう）に切り換える。ＰＣ用ＯＳは、外部装置５０のハードディスクドライブ５８に記憶されているものである。マイクロコンピュータ３０は、ＰＣ用ＯＳに切り換えることにより、接続端子３４を介して、外部装置５０との信号の入出力やデータの送受信に係る処理を実行可能になる。外部装置５０と接続された状態において、ＰＣ用ＯＳに基づいてプログラムの実行を制御するとき、マイクロコンピュータ３０は、制御手段として機能する。
【００３６】
また、マイクロコンピュータ３０は、外部装置５０と接続してパーソナルコンピュータとして使用している際に、電話の着信を検知した場合には、実行中のＰＣ用ＯＳの動作環境を、不揮発メモリ２８に記憶して退避する。
【００３７】
また、マイクロコンピュータ３０は、外部装置５０と接続され、ＯＳがＰＣ用ＯＳに切り換えられた場合には、ロック機構７４を動作させて、ロックシリンダ７２を出現させ、外部装置５０を載置部７３から取り出せないようにするロック状態開始信号を出力する。また、ＯＳがＰＣ用ＯＳから携帯用ＯＳに切り換えられた場合には、ロックシリンダ７２によるロック状態を解除し、携帯電話機１０を載置部７３から取り出せるようにするロック状態解除信号を出力する。マイクロコンピュータ３０は、外部装置５０と携帯電話機１０との接続状態を物理的に保持するロック機構７４に対してロック状態開始信号及びロック状態開始信号を出力する切断禁止信号送信手段として機能するものである。
【００３８】
図５は、図１に示した外部装置の内部構成を示すブロック図である。
外部装置５０は、ＣＰＵ５２、ＲＯＭ５４、ＲＡＭ５６、ハードディスクドライブ５８、ＣＤ−Ｒ／ＤＶＤ−Ｒドライブ６０、マウス６２、キーボード６４、ディスプレイ６６及びホルダー７０を備えている。
【００３９】
ＲＯＭ５４には、外部装置５０の起動に必要なプログラムが記憶されている。ＣＰＵ５２は、電源が投入されると、ＲＯＭ５４に記憶されているプログラムに従って起動した後、外部装置５０の動作制御を行う。具体的には、マウス６２、キーボード６４、ディスプレイ６６、ハードディスクドライブ５８、ＣＤ−Ｒ／ＤＶＤ−Ｒドライブ６０の動作制御を行う。ＲＡＭ５６は、ＣＰＵ５２が動作する際に用いるデータ等を記憶する。
【００４０】
マウス６２及びキーボード６４は、数字、文字及び記号等を入力する等、各種操作を入力するためのものである。ディスプレイ６６は、受信した映像信号に基づいて画像を表示するものである。ＣＤ−Ｒ／ＤＶＤ−Ｒドライブ６０は、ＣＤやＤＶＤに記憶されたデータを読み出し、また、ハードディスクドライブ５８に記憶されているデータをＣＤやＤＶＤに書き込むためのものである。
【００４１】
ハードディスクドライブ５８は、パーソナルコンピュータ用のＯＳや各種のプログラム（アプリケーションソフト）を記憶している。各種プログラムとしては、文書の作成に係るプログラムや表計算に係るプログラム等、パーソナルコンピュータとしての機能に係るプログラムが挙げられる。各種プログラムには、さらに、携帯電話機１０が接続されている際に着信待ちの状態を維持し、着信があった場合には、ＯＳを携帯用ＯＳに切り換えるためのプログラムが含まれている。
【００４２】
また、ハードディスクドライブ５８は、マウス６２、キーボード６４、ＣＤ−Ｒ／ＤＶＤ−Ｒドライブ６０、ディスプレイ６６等、各種装置のデバイスドライバを記憶している。
【００４３】
ホルダー７０は、接続端子６８及びロック機構７４を備えている。接続端子６８は、携帯電話機１０と接続するための端子であり、本発明における外部装置側インターフェイスに相当するものである。ロック機構７４については、図２を用いて説明したので、ここでの説明は省略する。
【００４４】
外部装置５０が起動している間に、携帯電話機１０が接続された場合には、ＣＰＵ５２は、動作中のＰＣ用ＯＳの動作環境をハードディスクドライブ５８に記憶し、電源を切断する。外部装置５０の電源が切断された後、又は、外部装置５０の電源が切断されている間に携帯電話機１０が接続された場合には、携帯電話機１０側では、電源が切断され、再起動される。このとき、ハードディスクドライブ５８に記憶されているＰＣ用ＯＳが、携帯電話機１０（マイクロコンピュータ３０）に読み込まれることにより、携帯電話機１０は、ＰＣ用ＯＳに基づいてプログラムの実行処理を行うことことになる。すなわち、マウス６２、キーボード６４、ＣＤ−Ｒ／ＤＶＤ−Ｒドライブ６０、ディスプレイ６６等、各種装置は、ＰＣ用ＯＳが携帯電話機１０（マイクロコンピュータ３０）に読み込まれることにより、ＰＣ用ＯＳに組み込まれたデバイスドライバに従って、携帯電話機１０に制御されることとなる。これにより、携帯電話機１０は、外部装置５０と一体化して動作することとなり、また、外部装置５０からデータを受信し、携帯電話機１０が備える不揮発メモリ２８に記憶することができるようになる。
なお、ＰＣ用ＯＳ上では、多数の処理が並行して実行される場合、パーソナルコンピュータとしての機能に係る処理が優先して実行される。これにより、携帯電話機として安定した機能実行が確保されることになる。
【００４５】
図６は、携帯電話機において行われる携帯電話機処理を示すフローチャートである。
まず、マイクロコンピュータ３０は、電源が投入されると、不揮発メモリ２８に記憶されている携帯用ＯＳを読み出し、その後、このＯＳ上でプログラムの実行処理を行う（ステップＳ１０）。この処理において、マイクロコンピュータ３０は、電話の着信や通話に係る処理、メールの送受信に係る処理等を、所定のプログラムに基づいて実行する。
【００４６】
次に、マイクロコンピュータ３０は、外部装置５０が接続されたか否かを判断する（ステップＳ１１）。外部装置５０が接続されていないとき判断した場合、処理をステップＳ１０に戻す。一方、外部装置５０が接続されたと判断した場合、処理をステップＳ１２に移す。
【００４７】
ステップＳ１２において、マイクロコンピュータ３０は、接続時処理を行う。詳しくは、図７を用いて後に詳述するが、この処理において、マイクロコンピュータ３０は、再起動して、ＯＳを携帯用ＯＳからＰＣ用ＯＳに切り換える。これにより、接続端子３４を介して外部装置５０が備える各種装置と信号の入出力やデータの送受信を行うことが可能となる。また、ＰＣ用ＯＳに切り換えた後、ロック機構７４に対してロック状態とするロック状態開始信号を出力し、外部装置５０から取り出せないようにする。この後、ステップＳ１３に処理を移す。
【００４８】
ステップＳ１３において、マイクロコンピュータ３０は、ＰＣ用ＯＳ上でプログラムの実行処理を行う。この処理において、マイクロコンピュータ３０は、パーソナルコンピュータとしての機能に係る処理を実行する。このとき、マイクロコンピュータ３０は、着信待ちの状態を維持する処理を並行して実行する。
【００４９】
次に、ステップＳ１４において、マイクロコンピュータ３０は、外部装置５０との接続を切断するか否かを判断する。この処理において、マイクロコンピュータ３０は、使用者から切断する旨の指示入力がされたか否かを判断する。外部装置５０との接続を切断すると判断した場合、マイクロコンピュータ３０は、切断時処理を実行する（ステップＳ１５）。詳しくは、図８を用いて後に詳述するが、この処理において、マイクロコンピュータ３０は、再起動して、ＯＳをＰＣ用ＯＳから携帯用ＯＳに切り換える。また、携帯用ＯＳに切り換えた後、ロック機構７４に対してロック状態を解除するロック状態解除信号を出力し、外部装置５０から取り出せるようにする。この後、ステップＳ１０に処理を移す。
【００５０】
ステップＳ１４において外部装置５０との接続を切断しないと判断した場合、マイクロコンピュータ３０は、着信があるか否かを判断する（ステップＳ１６）。着信がないと判断した場合、処理をステップＳ１３に戻す。一方、着信があると判断した場合、マイクロコンピュータ３０は、着信時処理を実行する（ステップＳ１７）。詳しくは、図９を用いて後に詳述するが、この処理において、マイクロコンピュータ３０は、再起動して、ＯＳをＰＣ用ＯＳから携帯用ＯＳに切り換えた後、ロック機構７４に対してロック状態を解除するロック状態解除信号を出力し、外部装置５０から取り出せるように制御する。その後、着信を報知する。ステップＳ１７の処理の後、ステップＳ１０に処理を戻す。
【００５１】
図７は、携帯電話機において行われる接続時処理のサブルーチンを示すフローチャートである。
まず、マイクロコンピュータ３０は、携帯用ＯＳに基づいたプログラムの実行処理を終了し（ステップＳ２０）、電源を切断する（ステップＳ２１）。このとき、マイクロコンピュータ３０は、電源投入時に外部装置５０のハードディスクドライブ５８からＰＣ用ＯＳを読み出すように設定する。具体的には、不揮発メモリ２８に記憶されているＧＤＴ（グローバル・デスクリプタ・テーブル）の各デスクリプタのセグメントベースに所定のバイアス値を加えるように設定し、電源投入時に、外部装置５０のハードディスクドライブ５８からＰＣ用ＯＳが読み出されるようする。本実施形態では、再起動してＯＳを切り換える場合について説明するが、ＯＳの切り換え方法は、この例に限定されない。
また、本実施形態では、電源を一度切断して、ＯＳを切り換える場合について説明するが、本発明においてはこの例に限定されず、電源を切断せずに、実行中のＯＳを終了した後、他のＯＳを読み取ることによりＯＳを切り換えることとしてもよい。
【００５２】
ステップＳ２２において、マイクロコンピュータ３０は、再び電源を投入し、起動する。次に、マイクロコンピュータ３０は、電源切断時の設定に従って外部装置５０のハードディスクドライブ５８からＰＣ用ＯＳを読み取り（ステップＳ２３）、ＰＣ用ＯＳに基づいたプログラムの実行処理を開始する（ステップＳ２４）。これにより、携帯電話機１０は、外部装置５０と一体化したパーソナルコンピュータとして機能する。
【００５３】
次に、ステップＳ２５において、マイクロコンピュータ３０は、ロック機構７４に対してロック状態とするロック状態開始信号を出力し、外部装置５０との接続の切断を禁止する。この信号を受信したロック機構７４は、モータを駆動し、ロックシリンダ７２が所定位置まで移動するように制御する。これにより、携帯電話機１０を取り出すことができなくなり、外部装置５０との接続の切断を禁止することができる。この処理の後、本サブルーチンを終了する。
【００５４】
図８は、携帯電話機において行われる切断時処理のサブルーチンを示すフローチャートである。
まず、マイクロコンピュータ３０は、ＰＣ用ＯＳに基づいたプログラムの実行処理を終了する（ステップＳ３０）。
【００５５】
次に、ステップＳ３１において、マイクロコンピュータ３０は、ロック機構７４に対してロック状態解除信号を出力する。この信号を受信したロック機構７４は、モータを駆動し、ロックシリンダ７２を所定位置まで戻るように制御する。これにより、携帯電話機１０を取り出すことがでるようになり、外部装置５０との接続を切断することができる。
【００５６】
次に、ステップＳ３２において、マイクロコンピュータ３０は、電源を切断する。このとき、マイクロコンピュータ３０は、電源投入時に不揮発メモリ２８から携帯用ＯＳを読み出すように設定する。
【００５７】
次に、ステップＳ３３において、マイクロコンピュータ３０は、再び電源を投入し、起動する。
次に、マイクロコンピュータ３０は、電源切断時の設定に従って外部装置５０のハードディスクドライブ５８から携帯用ＯＳを読み取り（ステップＳ３４）、携帯用ＯＳに基づいたプログラムの実行処理を開始する（ステップＳ３５）。ステップＳ３５の処理の後、本サブルーチンを終了する。
【００５８】
図９は、携帯電話機において行われる着信時処理のサブルーチンを示すフローチャートである。
まず、マイクロコンピュータ３０は、ＰＣ用ＯＳに基づいたプログラムの実行処理を中断し（ステップＳ４０）、中断した状態で、このＰＣ用ＯＳの動作環境を不揮発メモリ２８に記憶する（ステップＳ４１）。従って、次に、ＰＣ用ＯＳが起動されたとき（ステップＳ１２）には、当該動作環境が読み出され、ステップＳ４１において記憶した状態での動作環境でプログラムの実行が再開されることとなる。
【００５９】
次に、ステップＳ４２において、マイクロコンピュータ３０は、電源を切断する。このとき、マイクロコンピュータ３０は、電源投入時に不揮発メモリ２８から携帯用ＯＳを読み出すように設定する。
【００６０】
次に、ステップＳ４３において、マイクロコンピュータ３０は、再び電源を投入し、起動する。次に、マイクロコンピュータ３０は、電源切断時の設定に従って不揮発メモリ２８から携帯用ＯＳを読み取り（ステップＳ４４）、携帯用ＯＳに基づいたプログラムの実行処理を開始する（ステップＳ４５）。
【００６１】
次に、ステップＳ４６において、マイクロコンピュータ３０は、ロック機構７４に対してロック状態解除信号を出力する。この信号を受信したロック機構７４は、モータを駆動し、ロックシリンダ７２を所定位置まで戻るように制御する。その後、着信報知用スピーカ３６から音を出力し、液晶パネル１４に画像又は動画を表示する制御を行い、着信を報知し（ステップＳ４７）、本サブルーチンを終了する。
ステップＳ２５（図７参照）、ステップＳ３１（図８参照）、ステップＳ４６（図９参照）の処理を実行するとき、マイクロコンピュータ３０は、ＰＣ用ＯＳに基づくプログラム実行の制御を開始したことを契機として、外部装置５０との接続を物理的に保持するロック機構７４に対してロック状態開始信号を出力し、ＰＣ用ＯＳに基づくプログラム実行の制御を終了したことを契機として、ロック状態解除信号を出力する切断禁止信号送信手段として機能する。
【００６２】
図１０は、携帯電話機において行われるパワーマネージメント処理のサブルーチンを示すフローチャートである。このサブルーチンは、図６に示したサブルーチンとは別に所定のタイミングで呼び出されて実行されるサブルーチンである。
【００６３】
まず、マイクロコンピュータ３０は、外部装置５０が接続されているか否かを判断する（ステップＳ７０）。外部装置５０が接続されていないと判断した場合、マイクロコンピュータ３０は、ＡＣアダプタ３６が接続されているか否かを判断し（ステップＳ７１）、ＡＣアダプタ３６が接続されていない場合（ステップＳ７１：ＮＯ）には、パワーマネージメント機能を実行し（ステップＳ７２）、本サブルーチンを終了する。
【００６４】
一方、外部装置５０が接続されていないと判断した場合（ステップＳ７０：ＮＯ）、又は、ＡＣアダプタ３６が接続されていると判断した場合（ステップＳ７１：ＹＥＳ）、マイクロコンピュータ３０は、パワーマネージメント機能を不能化し（ステップＳ７３）、本サブルーチンを終了する。
【００６５】
以上、本実施形態に係る携帯電話機１０によれば、接続端子３４を介して外部装置５０と接続し、外部装置５０が記憶しているＰＣ用ＯＳに基づくプログラム実行の制御を開始したことを契機として、外部装置５０との接続状態を物理的に保持するロック機構７４に対してロック状態開始出力し、ＰＣ用ＯＳに基づくプログラム実行の制御を終了したことを契機として、ロック状態を解除するロック状態解除信号を出力する。すなわち、外部装置５０が記憶しているＰＣ用ＯＳに基づいてプログラムの実行が制御されている間は、ロック機構７４により、外部装置５０との接続の切断が禁止されるため、使用者が不用意に取り外してしまうことを回避することができる。また、ＰＣ用ＯＳに基づくプログラム実行の制御を終了したことを契機として、外部装置５０との接続の切断が許容されるため、使用者は、ＰＣ用ＯＳに基づくプログラムの実行の制御が確実に終了したことを確認でき、作成していたデータ等が消えてしまうといった事態を引き起こすことなく、安心して携帯電話機１０を取り外すことができる。
【００６６】
また、本実施形態に係る外部装置５０によれば、接続端子６８を介して携帯電話機１０と接続された状態において、携帯電話機１０が備えるマイクロコンピュータ３０（切断禁止信号送信手段）から受信した信号に応じて、携帯電話機１０との接続の切断を物理的に禁止又は許容するロック機構７４を備えている。すなわち、ＰＣ用ＯＳに基づいて、携帯電話機１０によりプログラムの実行が制御されている間は、ロック機構７４により、携帯電話機１０との接続の切断が物理的に禁止されるため、使用者が不用意に取り外してしまうことを回避することができる。また、ＰＣ用ＯＳに基づくプログラム実行の制御を終了したことを契機として、携帯電話機１０との接続の切断が許容されるため、使用者は、ＰＣ用ＯＳに基づくプログラム実行の制御が確実に終了したことを確認でき、作成していたデータ等が消えてしまうといった事態を引き起こすことなく、安心して携帯電話機を取り外すことができる。
【００６７】
また、外部装置５０によれば、携帯電話機１０を載置するホルダー７０を備えており、接続端子６８及びロック機構７４が、ホルダー７０に設けられているため、パーソナルコンピュータとして使用している最中に、携帯電話機１０を安定して保持することができるとともに、落したりして接続端子が外れてしまうといったことを防止することができる。
【００６８】
上述した実施形態では、外部装置５０は、携帯電話機１０が接続されていなくとも、外部装置５０自体がパーソナルコンピュータとして利用可能である場合について説明した。しかし、本発明における外部装置は、外部装置のみでは、パーソナルコンピュータとして利用できなくともよい。このような外部装置について、以下に説明する。
【００６９】
図１１は、他の実施形態に係る外部装置の内部構成を示すブロック図である。
外部装置８０は、ハードディスクドライブ８２、ＣＤ−Ｒ／ＤＶＤ−Ｒドライブ８４、マウス８６、キーボード８８、ディスプレイ９０及びホルダー９４を備えている。
【００７０】
ホルダー９４は、接続端子９２及びロック機構９６を備えている。各種装置（ハードディスクドライブ８２、ＣＤ−Ｒ／ＤＶＤ−Ｒドライブ８４、マウス８６、キーボード８８、ディスプレイ９０）は、ホルダー９４に携帯電話機１０が載置され、接続端子９２に携帯電話機１０が接続されると、ハードディスクドライブ８２に記憶されているデバイスドライバに基づいて、携帯電話機１０に認識される。携帯電話機１０では、これらの各種装置を認識すると、接続端子９２を介して信号の入出力やデータの送受信が可能となる。
【００７１】
上述した実施形態では、携帯電話機１０が、ＣＣＤカメラ１６、液晶パネル１４を備えている場合について説明したが、本発明において携帯電話機は、これらを備えていなくてもよく、外部装置と接続可能な接続端子を備えており、通信が可能であれば、特にその構成は限定されるものではない。
【００７２】
上述した実施形態では、携帯電話機１０にメールの送受信機能が備えられている場合について説明したが、本発明において携帯電話機は、メールの送受信機能が備えられていなくてもよい。また、本発明において、携帯電話機で実行するプログラムは、特に限定されるものではなく、携帯電話機において処理可能であればよい。
【００７３】
上述した実施形態では、携帯電話機１０が携帯電話機用ＯＳを記憶し、外部装置５０がパーソナルコンピュータ用ＯＳを記憶する場合について説明したが、本発明においてはこの例に限定されず、例えば、携帯電話機が、携帯電話機用ＯＳとパーソナルコンピュータ用ＯＳとの両方を記憶していてもよい。
【００７４】
上述した実施形態では、携帯電話機１０に内蔵された不揮発メモリに携帯電話機用ＯＳが記憶されている場合について説明したが、本発明における内部記憶手段は、例えば、携帯電話機から取り外し可能な記憶媒体であってもよい。
【００７５】
本発明において、携帯電話機が備えるＣＰＵ等の電子部品は、高機能なものが望ましい。高速のＣＰＵを搭載することや物理的メモリの容量を増やすことが、携帯性を阻害することは少ない一方で、パーソナルコンピュータとして使用する場合に、より良い環境で使用することができるからである。
【００７６】
上述した実施形態では、ロック機構７４が外部装置５０に備えられている場合について説明したが、本発明においてはこの例に限定されず、ロック機構は、例えば、携帯電話機に備えられていてもよい。
【００７７】
上述した実施形態では、ロック機構７４がモータ７８ａを備えていて、モータ７８ａによりロックシリンダ７２を移動させて、携帯電話機１０と外部装置５０との接続の切断を物理的に禁止又は許容する場合について説明したが、本発明におけるロック機構は、これに限定されず、例えば、磁力やバネの弾性力を利用して、携帯電話機と外部装置との接続を物理的に禁止又は許容することとしてもよい。
また、上述した実施形態では、棒状のロックシリンダ７２が携帯電話機１０と外部装置５０との接続の切断を物理的に禁止又は許容する場合について説明したが、本発明においては、この例に限定されず、例えば、フック状の部材が備えられており、携帯電話機を係止することとしてもよい。
【００７８】
上述した実施形態では、ホルダー７０が本体部５０ａに設けられている場合について説明したが、本発明においてホルダーは、本体部に設けられていなくてもよく、外部装置側インターフェイスとロック機構とが設けられていればこの例に限定されるものではない。
【００７９】
本発明において外部装置は、外部装置側インターフェイスとロック機構とを備えていれば、特に限定されるものではなく、例えば、プリンタ等その他の装置が備えられていてもよい。
【００８０】
以上、本発明の実施形態を説明したが、具体例を例示したに過ぎず、特に本発明を限定するものではなく、各手段等の具体的構成は、適宜設計変更可能である。また、本発明の実施形態に記載された効果は、本発明から生じる最も好適な効果を列挙したに過ぎず、本発明による効果は、本発明の実施形態に記載されたものに限定されるものではない。
【図面の簡単な説明】
【００８１】
【図１】本実施形態に係る携帯電話機及び外部装置の一例を模式的に示す斜視図である。
【図２】（ａ）は、図１に示した外部装置が備えるホルダーの上面図であり、（ｂ）は、正面図であり、（ｃ）は、左側面図である。
【図３】図１に示した外部装置が備えるホルダーを示す図である。
【図４】図１に示した携帯電話機の内部構成を示すブロック図である。
【図５】図１に示した外部装置の内部構成を示すブロック図である。
【図６】携帯電話機において行われる携帯電話機処理を示すフローチャートである。
【図７】携帯電話機において行われる接続時処理のサブルーチンを示すフローチャートである。
【図８】携帯電話機において行われる切断時処理のサブルーチンを示すフローチャートである。
【図９】携帯電話機において行われる着信時処理のサブルーチンを示すフローチャートである。
【図１０】携帯電話機において行われるパワーマネージメント処理のサブルーチンを示すフローチャートである。
【図１１】他の実施形態に係る外部装置の内部構成を示すブロック図である。
【符号の説明】
【００８２】
１０  携帯電話機
１２  操作部
１４  液晶パネル
２８  不揮発性メモリ
３０  マイクロコンピュータ
３２  二次電池
３４  接続端子
３６  ＡＣアダプタ
５０、８０  外部装置
５０ａ  本体部
６４、８８  キーボード
６６、９０  ディスプレイ
６８、９２  接続端子
７０、９４  ホルダー
７４、９６  ロック機構
【図１】
0004421545.tif 000002
【図２】
0004421545.tif 000003
【図３】
0004421545.tif 000004
【図４】
0004421545.tif 000005
【図５】
0004421545.tif 000006
【図６】
0004421545.tif 000007
【図７】
0004421545.tif 000008
【図８】
0004421545.tif 000009
【図９】
0004421545.tif 000010
【図１０】
0004421545.tif 000011
【図１１】
0004421545.tif 000012